(57)【要約】【課題】  オイルクーラのエレメント部同士の間に介装されたシートを省略して熱交換部の組み立てを容易に行えるオイルクーラを提供の提供。【解決手段】  各エレメント部１の筒状部７の周りに積層方向外側に突出する保持部８を形成すると共に、隣り合うエレメント部1a,1bの保持部8a,8b同士を当接させることにより各エレメント部１におけるアッパシェル４とロアシェル５を密着した状態に維持した。【選択図】        図６
2005337528.tif 000002
【特許請求の範囲】
【請求項１】
アッパシェルとロアシェルを最中状に重ね合わせて成るエレメント部が両端部に形成された筒状部を連通させた状態で複数積層されることにより形成される熱交換部と、該熱交換部の両端部に形成された空間に連通した状態でそれぞれパイプコネクタを介して連結された一対の接続パイプとを備えるオイルクーラにおいて、
前記各エレメント部の筒状部の周りに積層方向外側に突出する保持部を形成すると共に、隣り合うエレメント部の保持部同士を当接させることにより各エレメント部におけるアッパシェルとロアシェルを密着した状態に維持したことを特徴とするオイルクーラ。
【請求項２】
請求項１記載のオイルクーラにおいて、
前記保持部が筒状部の周りに円形状に形成される凸状溝であることを特徴とするオイルクーラ。
【発明の詳細な説明】
【技術分野】
【０００１】
本発明は、自動車のエンジンやＡＴのオイルを冷却するために用いるオイルクーラに関する。
【背景技術】
【０００２】
従来、オイルクーラは、アッパシェルとロアシェルを最中状に重ね合わせて成るエレメント部が両端部に形成された筒状部を連通させた状態で複数積層されることにより形成される熱交換部と、該熱交換部の両端部に形成された空間に連通した状態でそれぞれパイプコネクタを介して連結された一対の接続パイプとを備えて構成されている（特許文献１〜３参照）。
【０００３】
また、隣り合うエレメント部同士間にはシートが介装されると共に、該シートはオイルクーラ内のオイルの圧力上昇により各エレメント部におけるアッパシェルとロアシェルが変形して両者のろう付けが破断することにより、オイルが漏れ出すのを防止する役割を果たしている。
【特許文献１】特開２００１−１５３５８６号公報
【特許文献２】特開平１０−７３３９３号公報
【特許文献３】特開平１１−１４２０８９号公報
【発明の開示】
【発明が解決しようとする課題】
【０００４】
しかしながら、特許文献１〜３記載の発明にあっては、オイルクーラを組み立てる際にエレメント部とシートを交互に積層する作業が必要になるため、大変手間と時間がかかり、この種のオイルクーラの効率的な生産を阻害しているという問題点があった。
【０００５】
本発明は上記問題点に着目してなされたもので、その目的とするところはオイルクーラのエレメント部同士の間に介装されたシートを省略して熱交換部の組み立てを容易に行えるオイルクーラを提供することにある。
【課題を解決するための手段】
【０００６】
請求項１記載の発明では、アッパシェルとロアシェルを最中状に重ね合わせて成るエレメント部が両端部に形成された筒状部を連通させた状態で複数積層されることにより形成される熱交換部と、該熱交換部の両端部に形成された空間に連通した状態でそれぞれパイプコネクタを介して連結された一対の接続パイプとを備えるオイルクーラにおいて、前記各エレメント部の筒状部の周りに積層方向外側に突出する保持部を形成すると共に、隣り合うエレメント部の保持部同士を当接させることにより各エレメント部におけるアッパシェルとロアシェルを密着した状態に維持したことを特徴とする。
【０００７】
請求項２記載の発明では、請求項１記載のオイルクーラにおいて、前記保持部が筒状部の周りに円形状に形成される凸状溝であることを特徴とする。
【発明の効果】
【０００８】
請求項１記載の発明にあっては、各エレメント部の筒状部の周りに積層方向外側に突出する保持部を形成すると共に、隣り合うエレメント部の保持部同士を当接させることにより各エレメント部におけるアッパシェルとロアシェルを密着した状態に維持したため、従来の発明に比べてシートを省略してオイルクーラの部品点数を減らすことができると同時に、熱交換部を組み立てる際にエレメント部とシートを交互に積層する作業を省略することができる。
【０００９】
また、オイルクーラ内のオイルの圧力上昇によるアッパシェルとロアシェルの変形を保持部で防止でき、両者のろう付けが破断してオイルが漏れ出すのを防止できる。
【００１０】
請求項２記載の発明にあっては、保持部が筒状部の周りに円形状に形成される凸状溝であることとしたため、アッパシェルとロアシェルの変形を安定して密着した状態に維持できる。
【発明を実施するための最良の形態】
【００１１】
以下、本発明のオイルクーラの実施例を説明する。
【実施例１】
【００１２】
図１は本発明の実施例のオイルクーラを示す平面図、図２は同正面図、図３はエレメント部の組み立てを説明する図、図４は保持部を説明するエレメント部の斜視図、図５は図１のＳ５−Ｓ５線における断面図、図６は図１のＳ６−Ｓ６線における断面図、図７は本実施例のオイルクーラの組み立てを説明する図である。
【００１３】
図１、２に示すように、本実施例のオイルクーラは、複数のエレメント部１から成る熱交換部２と、パイプコネクタ3,3と、接続パイプP1,P2を主要な構成としている。
【００１４】
図３に示すように、前記エレメント部１は、周縁が立ち上げられて皿状に形成されたアッパシェル４及びロアシェル５と、両者の間に介装される波状のインナーフィン６を主要な構成としている。
【００１５】
前記アッパシェル４及びロアシェル５は、それぞれ両端部にバーリング加工で形成された筒状部７を有すると共に、該筒状部７の周りには後述する保持部８が形成されている。
【００１６】
図４に示すように、前記保持部８は、エレメント部１の積層方向外側に山型に突出するようにビード加工して形成された円形状の凸状溝で構成されている。
【００１７】
そして、図５、６に示すように、前記熱交換部２は各エレメント部１の筒状部７を連通させた状態で、且つ、保持部８同士を当接させた状態で複数積層されることにより形成されている。
さらに、前記熱交換部２の両端部に形成された空間Ｏに連通した状態でそれぞれパイプコネクタ３を介して一対の接続パイプP1,P2が連結されている。
【００１８】
なお、本実施例のオイルクーラは全ての構成部品がアルミニウム製であり、各部品の接触部には少なくとも一方側にはろう材が被覆されたブレージングシート（クラッド材）が用いられている。
【００１９】
このように構成されたオイルクーラを仮組みするには、先ず、前述したアッパシェル４とロアシェル５を、波状のインナーフィン６を介装した状態で最中状に重ね合わせて互いに圧入またはカシメ固定することによりエレメント部１を形成する。
【００２０】
続いて、図７に示すように、前記エレメント部１を複数（本実施例では５層）積層することにより熱交換部２を形成する。
この際、図５、６に示すように、隣り合うエレメント部1a,1b同士において隣り合う筒状部7a,7b同士は互いに径方向に重なった状態で連結される他、隣り合う保持部8a,8b同士が当接することにより、各エレメント部１におけるアッパシェル４とロアシェル５が密着した状態になる。
【００２１】
従って、従来の発明に比べて各エレメント部１の間にシートを介装する手間を省くことができ、熱交換部２の積層作業を容易且つスムーズに行うことができる。
【００２２】
続いて、熱交換部２の積層方向の最外端に位置するエレメント部10,11のうち、エレメント部１０の筒状部７にそれぞれパイプコネクタ３を圧入またはカシメ固定した後、各パイプコネクタ３に接続パイプＰ１（Ｐ２）を圧入して両者を固定する。
他方のエレメント部１１のロアシェル５は前述した筒状部７及び保持部８が省略されており、ここに皿状のパッチプレートＰＴを圧入または外嵌固定して、オイルクーラの仮組みを終了する（図２参照）。
【００２３】
このように仮組みされたオイルクーラは、図外の加熱炉で熱処理され、少なくともオイルクーラの各部の接触部がろう付けされた状態で図外のラジエータタンク内に収容される。
そして、接続パイプＰ１からエンジンやＡＴのオイルを流入させて熱交換部２のエレメント部１内を長手方向に流通させて該オイルとラジエータタンク内の冷却水を熱交換させた後、接続パイプＰ２から排出する冷却回路となる。
【００２４】
また、前記オイルの圧力上昇により各エレメント部１におけるアッパシェル４とロアシェル５は積層方向外側へ膨らんで変形しようとするが、本実施例のオイルクーラにあっては、前述したように、隣り合う保持部8a,8b同士が当接することにより隣り合うエレメント部1a,1b同士におけるアッパシェル４とロアシェル５とを密着した状態に維持でき、両者のろう付けが破断してオイルが漏れ出すのを防止できる。
なお、各エレメント部１における中途部分についてはインナーフィン６がアッパシェル４とロアシェル５にろう付けされるため、オイルが漏れ出す虞はない。
【００２５】
従って、本実施例のオイルクーラにあっては、従来の発明に比べて熱交換部２を組み立てる際の手間と時間を大幅に削減でき、この種のオイルクーラの効率的な生産を確保できる。
【００２６】
また、オイルクーラ内のオイルの圧力上昇によるアッパシェル４とロアシェル５の変形を保持部８で防止でき、両者のろう付けが破断してオイルが漏れ出すのを防止できる。
【００２７】
以上、本発明の実施例を説明してきたが、本発明の具体的構成は本実施例に限定されるものではなく、発明の要旨を逸脱しない範囲の設計変更などがあっても本発明に含まれる。
【００２８】
例えば、本実施例のオイルクーラは、ラジエータのタンク内に収容されて使用される例について説明したが、空冷用のオイルクーラにも適用可能である。
【００２９】
また、本実施例の保持部８は、エレメント部１の積層方向外側に山型に突出した円形状の凸状溝に構成した例について説明したが、保持部８の形成位置、形状、高さ、厚み等については適宜設定でき、例えば、隣り合うエレメント部1a,1bのうちの一方のみに保持部８を設けても良い。
【００３０】
また、図８に示すように、保持部を筒状部７の周りに複数形成された凸部２０で構成しても良い。
【００３１】
さらに、本実施例のオイルクーラをラジエータタンク内に収容する場合は、ラジエータのコア部とタンクがアルミ製の所謂総アルミ製のラジエータ、または、タンクのみが樹脂で形成されたラジエータの両方に採用できる。この際、前者に採用する場合にはラジエータと共にオイルクーラをろう付けして両者を固定しても良い。
【図面の簡単な説明】
【００３２】
【図１】本発明の実施例のオイルクーラを示す平面図である。
【図２】本発明の実施例のオイルクーラを示す正面図である。
【図３】エレメント部の組み立てを説明する図である。
【図４】保持部を説明するエレメント部の斜視図である。
【図５】図１のＳ５−Ｓ５線における断面図である。
【図６】図１のＳ６−Ｓ６線における断面図である。
【図７】本実施例のオイルクーラの組み立てを説明する図である。
【図８】その他の実施例の保持部（凸部２０）を説明するエレメント部の斜視図である。
【符号の説明】
【００３３】
Ｏ  空間
Ｐ１、Ｐ２  接続パイプ
ＰＴ  パッチプレート
１  エレメント部
１ａ、１ｂ  隣り合うエレメント部
２  熱交換部
３  パイプコネクタ
４  アッパシェル
５  ロアシェル
６  インナーフィン
７  筒状部
７ａ、７ｂ  隣り合う筒状部
８  保持部
８ａ、８ｂ  隣り合う保持部
【図１】
2005337528.tif 000003
【図２】
2005337528.tif 000004
【図３】
2005337528.tif 000005
【図４】
2005337528.tif 000006
【図５】
2005337528.tif 000007
【図６】
2005337528.tif 000008
【図７】
2005337528.tif 000009
【図８】
2005337528.tif 000010